(57)【要約】      （修正有）【課題】ＡＦＳ制御をより適切に実行可能な技術を提供する。【解決手段】車両の進行方向に応じて車両用灯具による光照射方向を可変に設定する車両用灯具の制御装置であって、道路の曲率半径に関する閾値を車両の舵角に応じて可変に設定し、車両が走行中の道路の曲率半径として推定される値の絶対値が前記閾値よりも小さい場合に、舵角に対応する方向へ車両用灯具の光照射方向を変化させるように制御する。【選択図】図５
2020192823.tif 000002
【特許請求の範囲】
【請求項１】
車両の進行方向に応じて車両用灯具による光照射方向を可変に設定する車両用灯具の制御装置であって、
道路の曲率半径に関する閾値を車両の舵角に応じて可変に設定し、前記車両が走行中の道路の曲率半径として推定される値の絶対値が前記閾値よりも小さい場合に、前記舵角に対応する方向へ前記車両用灯具の光照射方向を変化させるように制御する、
車両用灯具の制御装置。
【請求項２】
前記閾値は、所定範囲において前記舵角の絶対値の増加に伴って増加する、
請求項１に記載の車両用灯具の制御装置。
【請求項３】
前記閾値は、前記所定範囲外において一定値である、
請求項２に記載の車両用灯具の制御装置。
【請求項４】
前記車両が走行中の道路の曲率半径として推定される値は、前記車両が走行中の道路における道路標識又は区画線の曲率半径に基づいて求められる、
請求項１〜３の何れか１項に記載の車両用灯具の制御装置。
【請求項５】
前記道路標識又は区画線の曲率半径の値の正負と前記舵角の値の正負に基づいて、前記光照射方向の変更の要否を判断する、
請求項１〜５の何れか１項に記載の車両用灯具の制御装置。
【請求項６】
車両の進行方向に応じて車両用灯具による光照射方向を可変に設定する車両用灯具の制御装置であって、
道路の曲率半径に関する閾値を車両の舵角に応じて可変に設定する設定部と、
前記車両が走行中の道路の実際の曲率半径の推定値が前記閾値よりも小さい場合に、前記舵角に対応する方向へ前記車両用灯具の光照射方向を変化させるように制御する配光方向制御部と、
を含む、車両用灯具の制御装置。
【請求項７】
車両の進行方向に応じて車両用灯具による光照射方向を可変に設定する車両用灯具の制御方法であって、
制御装置が、道路の曲率半径に関する閾値を車両の舵角に応じて可変に設定し、前記車両が走行中の道路の曲率半径として推定される値の絶対値が前記閾値よりも小さい場合に、前記舵角に対応する方向へ前記車両用灯具の光照射方向を変化させるように制御する、
車両用灯具の制御方法。
【請求項８】
請求項１〜６の何れかの制御装置と、
前記制御装置によって制御される一対の前照灯と、
を含む、車両用前照灯システム。
【発明の詳細な説明】
【技術分野】
【０００１】
本発明は、車両用灯具の制御技術に関する。
【背景技術】
【０００２】
カーブ路の走行時等において車両の進行方向に応じて車両用灯具による光照射方向を可変に制御する配光制御技術が知られている。このような配光制御は、ＡＦＳ（Adaptive  Front-Lighting  System）制御と称される。例えば、特開２００６−０９６１５８号公報（特許文献１）には、上記のＡＦＳ制御を行う際に、車両の舵角（操舵角）に基づいてカーブ路であるかどうかを判断し、カーブ路であると判断される場合には、路上の白線を画像認識処理して得られるカーブ路の曲率半径に基づいてヘッドライトによる光照射方向を設定するという技術が記載されている。
【０００３】
ところで、上記した従来技術のＡＦＳ制御では、カーブ路かどうかを判断するために用いる舵角の閾値を比較的大きな値に設定した場合には、カーブ路の序盤区間（緩和曲線区間）において舵角が閾値を超えず光照射方向が可変に設定されないという不都合が生じ得る。これに対して、舵角の閾値を比較的小さな値に設定することも考え得る。しかし、この場合には直線路走行時において舵角が僅かに変化した場合にも舵角が閾値を超えるため頻繁にＡＦＳ制御が行われてしまい煩わしいという不都合が生じ得る。さらに、直線路あるいはカーブ路の序盤区間では画像認識処理により得られるカーブ路の曲率半径が不正確である場合が少なくないため、曲率半径に基づくＡＦＳ制御により設定される光照射方向が必ずしも好適な方向とならない場合も生じ得る。
【先行技術文献】
【特許文献】
【０００４】
【特許文献１】特開２００６−０９６１５８号公報
【発明の概要】
【発明が解決しようとする課題】
【０００５】
本発明に係る具体的態様は、ＡＦＳ制御をより適切に実行可能な技術を提供することを目的の１つとする。
【課題を解決するための手段】
【０００６】
［１］本発明に係る一態様の車両用灯具の制御装置は、（ａ）車両の進行方向に応じて車両用灯具による光照射方向を可変に設定する車両用灯具の制御装置であって、（ｂ）道路の曲率半径に関する閾値を車両の舵角に応じて可変に設定し、前記車両が走行中の道路の曲率半径として推定される値の絶対値が前記閾値よりも小さい場合に、前記舵角に対応する方向へ前記車両用灯具の光照射方向を変化させるように制御する、車両用灯具の制御装置である。
［２］本発明に係る一態様の車両用灯具の制御装置は、（ａ）車両の進行方向に応じて車両用灯具による光照射方向を可変に設定する車両用灯具の制御装置であって、（ｂ）道路の曲率半径に関する閾値を車両の舵角に応じて可変に設定する設定部と、（ｃ）前記車両が走行中の道路の実際の曲率半径の推定値が前記閾値よりも小さい場合に、前記舵角に対応する方向へ前記車両用灯具の光照射方向を変化させるように制御する配光方向制御部と、を含む、車両用灯具の制御装置である。
［３］本発明に係る一態様の車両用灯具の制御方法は、（ａ）車両の進行方向に応じて車両用灯具による光照射方向を可変に設定する車両用灯具の制御方法であって、（ｂ）制御装置が、道路の曲率半径に関する閾値を車両の舵角に応じて可変に設定し、前記車両が走行中の道路の曲率半径として推定される値の絶対値が前記閾値よりも小さい場合に、前記舵角に対応する方向へ前記車両用灯具の光照射方向を変化させるように制御する、車両用灯具の制御方法である。
［４］本発明に係る一態様の車両用灯具システムは、（ａ）前記制御装置と、（ｂ）前記制御装置によって制御される一対の前照灯と、を含む、車両用前照灯システムである。
【０００７】
上記構成によれば、ＡＦＳ制御をより適切に実行可能な技術が得られる。
【図面の簡単な説明】
【０００８】
【図１】図１は、一実施形態の車両用灯具システムの構成を示す図である。
【図２】図２（Ａ）は、ＬＥＤ光源の構成を概略的に示す平面図である。図２（Ｂ）は、ＬＥＤ光源の光学的な配置状態を示す側面図である。
【図３】図３は、閾値設定部により設定される閾値について説明するための図である。
【図４】図４（Ａ）は、ＡＦＳ設定部による光照射方向の設定方法について説明するための図である。図４（Ｂ）は、ターゲット角度および接点までの距離の計算結果の一例を示す図である。
【図５】図５は、車両用灯具システムの制御部の動作手順を示すフローチャートである。
【図６】図６（Ａ）〜図６（Ｄ）は、車両用灯具システムによる効果の一例を説明するための平面図である。
【図７】図７（Ａ）は、車両用灯具システムにおけるＡＦＳ制御の実施／不実施の判断例を一覧にした図である。
【発明を実施するための形態】
【０００９】
図１は、一実施形態の車両用灯具システムの構成を示す図である。図示の車両用灯具システムは、車両の前方に配置される一対の前照灯の各々による光照射方向を可変に設定して光照射を行うものであり、撮像ユニット１０、舵角センサ１１、制御部１２、一対のランプユニット１３Ｌ、１３Ｒを含んで構成されている。なお、撮像ユニット１０、舵角センサ１１および制御部１２が「制御装置」に対応する。
【００１０】
本実施形態の車両用灯具システムは、自車両がカーブ路を進行する際に、一対のランプユニット１３Ｌ、１３Ｒによる光照射方向を自車両の曲進方向に対応した第１方向へ設定するものである。なお、以下の説明では、車両の通行帯が左側通行を原則とされている場合を想定する。
【００１１】
撮像ユニット１０は、カメラと画像処理部を備えており、カメラによって撮影された画像（映像）に対して所定の画像処理を行うことにより、自車両の前方に存在する対象体を検出する。ここでいう「対象体」とは、例えば、前方車両、歩行者、自転車搭乗者、障害物、路面上の白線などの路面標示などが該当する。また、本実施形態の撮像ユニット１０は、路上の白線を検出し、その曲がり具合に基づいて曲率半径を求め、当該曲率半径を制御部１２へ出力する。本実施形態では、白線の曲率半径は、自車両が走行中の道路の曲率半径として推定される値として扱われる。
【００１２】
舵角センサ１１は、車両のハンドル操作に基づく操舵角の大きさを検出する。ここで検出される操舵角は、ハンドル操作によるステアリング軸の操作角でもよいし、実際にタイヤに生じる切れ角の角度でもよい。
【００１３】
なお、撮像ユニット１０や舵角センサ１１に相当するものが他の用途（例えば、ハンドルアシスト機能、自動ブレーキ機能等）に関する装置のために車両に備わっている場合には、その出力を用いることにより撮像ユニット１０等を省略することもできる。
【００１４】
制御部１２は、例えばＣＰＵ、ＲＯＭ、ＲＡＭ等を有するコンピュータシステムを用い、このコンピュータシステムにおいて所定の動作プログラムを実行させることによって実現される。この制御部１２は、機能ブロックとしての閾値設定部２０、ＡＦＳ設定部２１および配光制御部２２を有する。
【００１５】
閾値設定部２０は、カーブ路に対応して各ランプユニット１３Ｌ、１３Ｒによる光照射方向を可変に設定するか否かを判定するための閾値を設定する。本実施形態では、撮像ユニット１０から得られる路上の白線の曲率半径に応じて判定が行われる。このため、閾値設定部２０は、閾値として、曲率半径に対応する値を設定する。また、本実施形態では、舵角センサ１１によって検出される舵角が一定範囲内にある場合において、この舵角の大きさに応じて閾値の大きさを可変に設定する。閾値の具体例などの詳細については後述する。
【００１６】
ＡＦＳ設定部２１は、撮像ユニット１０から得られる白線の曲率半径に関する情報と閾値設定部２０により設定される閾値に基づいて各ランプユニット１３Ｌ、１３Ｒによる光照射方向の変更の要否を判断し、光照射方向を変更する場合には、白線の曲率半径に基づいて各ランプユニット１３Ｌ、１３Ｒによる光照射方向を設定する。
【００１７】
配光制御部２２は、ＡＦＳ設定部２１により設定された各ランプユニット１３Ｌ、１３Ｒの光照射方向に対応して光照射が行われるようにするための制御信号を生成し、当該制御信号を各ランプユニット１３Ｌ、１３Ｒに供給する。
【００１８】
なお、閾値設定部２０が「設定部」に対応し、ＡＦＳ設定部２１および配光制御部２２が「配光方向制御部」に対応する。
【００１９】
車両前部の左側に設置されるランプユニット１３Ｌ、車両前部の右側に設置される右側ランプユニット１３Ｒは、それぞれ、光源駆動部３０とＬＥＤ光源３１を含んで構成されている。光源駆動部３０は、配光制御部２２から与えられる制御信号に基づいてＬＥＤ光源３１に対して駆動電力を供給する。ＬＥＤ光源３１は、少なくとも一方向に配列された複数のＬＥＤ（発光素子）を含んで構成されており、光源部３０に駆動されて光を放出する。
【００２０】
図２（Ａ）は、ＬＥＤ光源の構成を概略的に示す平面図である。図示のように、ＬＥＤ光源３１は、二方向（図中の上下方向、左右方向）に沿ってマトリクス状に配列された複数のＬＥＤを含んで構成されている。各ＬＥＤはそれぞれ個別に点消灯可能である。図２（Ｂ）は、ＬＥＤ光源の光学的な配置状態を示す側面図である。ＬＥＤ光源３１から出射した光は投影レンズ３２に入射し、投影レンズ３２によって車両前方の空間に投影される。ＬＥＤ光源３１の各ＬＥＤを適宜点灯させることにより、各ランプユニット１３Ｌ、１３Ｒによる光照射方向を可変に設定することができる。
【００２１】
図３は、閾値設定部により設定される閾値について説明するための図である。上記のように本実施形態では、自車両の舵角（横軸）に応じて可変に閾値（縦軸）を設定する。図中、実線で示されているのは舵角の値がプラスである場合の閾値であり、点線で示されているのは舵角の値がマイナスである場合の閾値である。例えば、舵角の値がプラスである場合は右旋回時の舵角であり、舵角の値がマイナスである場合は左旋回時の舵角である。図示のように、例えば舵角が＋２度（ｄｅｇ）である場合の閾値は３０００ｍに設定される。同様に、例えば舵角が−３度以下である場合の閾値は５０００ｍに設定される。
【００２２】
上記のように各閾値はカーブ路の曲率半径（以下、単に「カーブ半径」という。）に対応して設定される閾値である。本実施形態では、舵角の値がプラス方向である場合において＋１度〜＋３度の範囲内では閾値が舵角に応じて増加するように変化し、＋１度より小さい範囲および＋３度より大きい範囲ではそれぞれ一定値となる。同様に、舵角の値がマイナス方向である場合において−１度〜−３度の範囲内では閾値が舵角に応じて増加するように変化し、−１度より大きい範囲および−３度より小さい範囲ではそれぞれ一定値となる。別言すれば、閾値は、所定範囲（＋１度〜＋３度の範囲、−１度〜−３度の範囲）では舵角の絶対値の増加に伴って増加するように変化する。
【００２３】
上記のような関係に基づいて、例えば、舵角が＋２度である場合には、撮像ユニット１０により得られる白線の曲率半径に基づいて決定されるカーブ半径の絶対値がこの閾値よりも小さい場合には、各ランプユニット１３Ｌ、１３Ｒによる光照射方向を可変に設定する制御が行われる。同様に、舵角が−３度以下である場合には、撮像ユニット１０により得られる白線の曲率半径に基づいて決定されるカーブ半径の絶対値がこの閾値よりも小さい場合には、各ランプユニット１３Ｌ、１３Ｒによる光照射方向を可変に設定する制御が行われる。
【００２４】
なお、舵角とそれに対応する閾値との関係は、例えばデータテーブルとして図示しないメモリに記憶され、適宜読み出して使用される。また、図示の例では説明を分かりやすくするために、舵角を１度ずつ増減させてプロットしていたが、実際にはさらに細かく舵角とそれに対応する閾値の値が設定されている。
【００２５】
図４（Ａ）は、ＡＦＳ設定部による光照射方向の設定方法について説明するための図である。図示の例では自車両１００が右方向のカーブ路へ進入する際の路面上の白線と自車両との関係が模式的な平面図で示されている。なお、左方向のカーブ路の場合も同様である。図示のように、自車両１００の右側前方に存在する白線の曲率半径が撮像ユニット１０によって求められる。ここで求められる白線の曲率半径は、カーブ半径Ｒに等しいものと推定して取り扱う。また、本実施形態では、曲率半径は、右方向へのカーブ路の場合にプラスの値で得られ、左方向へのカーブ路の場合にマイナスの値で得られるものとする。
【００２６】
このとき、自車両１００の右端から検知中の白線までの距離をＬとする。また、自車両１００の車幅方向における中心からカーブ路への接線と検知中の白線との接点（注視点）を想定する。このとき、図示の関係から、底辺をＲ、斜辺を（Ｒ＋Ｌ）とする直角三角形の底辺と斜辺によって挟まれる角をθ１とすると、このθ１は、以下のように求められる。ここで、自車両１００の右端から検知中の白線までの距離Ｌは、画像認識処理により求めてもよいが、既知の値としてもよい。
θ１＝ＡＣＯＳ｛Ｒ／（Ｒ＋Ｌ）｝
【００２７】
自車両１００の前後方向を基準として接点の位置をターゲット角度θｔで表すと、このターゲット角度θｔは上記した角度θ１と等しいので、上記した計算式によってθ１を求めることにより、ターゲット角度θｔを得ることができる。このターゲット角度θｔを用いることで、各ランプユニット１３Ｌ、１３Ｒによる照射光の照射方向を設定することができる。また、接点までの距離は、Ｒ×ｔａｎθｔを計算することにより求めることができる。
【００２８】
図４（Ｂ）は、ターゲット角度および接点までの距離の計算結果の一例を示す図である。ここでは、白線までの距離Ｌを既知の値（１．７５ｍ）として、いくつかのカーブ路のカーブ半径Ｒに対するターゲット角度等の計算結果を示している。例えば、カーブ路の曲率半径Ｒが５０ｍの場合におけるターゲット角度は１４．９度、接点までの距離は１３．３ｍである。同様に、カーブ路の曲率半径Ｒが１０００ｍの場合におけるターゲット角度は３．４度、接点までの距離は５９．２ｍである。
【００２９】
図５は、車両用灯具システムの制御部の動作手順を示すフローチャートである。以下、同図のフローチャートに沿って本実施形態の車両用灯具システムの動作を説明する。なお、図示のフローチャートにおける処理の流れは一例であり、処理に不整合を生じない限りにおいてその順番を入れ替えてもよいし、他の処理が追加されてもよい。
【００３０】
閾値設定部２０は、撮像ユニット１０から得られる白線情報に基づいて白線の有無を判定し（ステップＳ１１）、白線が存在する場合には（ステップＳ１１；ＹＥＳ）、舵角センサ１１から取得した自車両の舵角に基づいてカーブ半径に関する閾値を設定する（ステップＳ１２）。具体的な方法は上記の通りであり、例えば舵角が＋３度であれば、閾値として５０００ｍを設定する（図３参照）。なお、白線が存在しない場合には（ステップＳ１１；ＮＯ）、ステップＳ１１へ戻る。
【００３１】
次に、ＡＦＳ設定部２１は、カーブ半径の値の符号（正負）と舵角の値の符号（正負）が一致しているか否かを判定する（ステップＳ１３）。上記の通り、本実施形態では、カーブ半径の値、舵角の値は、ともに右方向のときにプラス、左方向のときのマイナスとなる。このため、各々の符号が一致している場合にはカーブ半径の値、換言すれば白線の曲率半径の値が正常であると判断できる。符号が一致しない場合には（ステップＳ１３；ＮＯ）、白線の曲率半径の値が異常であると判断できるので、ステップＳ１１へ戻る。
【００３２】
カーブ半径の値の符号と舵角の値の符号が一致している場合に（ステップＳ１３；ＹＥＳ）、ＡＦＳ設定部２１は、カーブ半径の絶対値がステップＳ１２で設定された閾値よりも小さいか否かを判定する（ステップＳ１４）。カーブ半径の絶対値が閾値以上である場合には（ステップＳ１４；ＮＯ）、ＡＦＳ制御を行わずにステップＳ１１へ戻る。
【００３３】
カーブ半径の絶対値が閾値よりも小さい場合に（ステップＳ１４；ＹＥＳ）、ＡＦＳ設定部２１は、白線の曲率半径（白線情報）に基づいてターゲット角度を設定する（ステップＳ１５）。具体的な方法は上記した通りである（図４（Ａ）参照）。
【００３４】
ターゲット角度が設定されると、配光制御部２２は、このターゲット角度によって特定される光照射方向に対して各ランプユニット１３Ｌ、１３Ｒによる光照射が行われるようにするための制御信号を生成し、当該制御信号を各ランプユニット１３Ｌ、１３Ｒに供給する。すなわち、配光制御部２２は、ターゲット角度に基づいて配光制御を行う（ステップＳ１６）。その後、ステップＳ１１へ戻る。
【００３５】
図６（Ａ）〜図６（Ｄ）は、本実施形態の車両用灯具システムによる効果の一例を説明するための平面図である。各図では、右方向のカーブ路を走行する自車両におけるＡＦＳ制御の例が模式的に示されている。図６（Ａ）は、自車両１００が直線区間からカーブ路の緩和曲線区間に進行した場合の様子を示している。この緩和曲線区間では自車両１００の舵角がそれほど大きくない場合が多いが、本実施形態の車両用灯具システムでは、舵角の大小でＡＦＳ制御の実施／不実施を切り分けていない。そして、舵角が比較的小さい場合には、それに応じて相対的に小さい閾値が設定されるので、白線情報に基づいて得られるカーブ半径の値が正常であれば、そのカーブ半径を用いて、自車両１００の進行方向に応じて照射光１０１の光照射方向を可変に設定することができる。これに対して、図６（Ｂ）に示す比較例の車両用灯具システムでは、舵角の大小でＡＦＳ制御の実施／不実施を切り分けており、舵角の閾値を比較的大きく設定しているので、たとえカーブ半径の値が正常であっても、比較的舵角の小さい緩和曲線区間ではＡＦＳ制御が実施されず照射光１０１ａの照射方向は直線区間から変化しない。
【００３６】
図６（Ｃ）は、自車両１００が直線区間からカーブ路の緩和曲線区間に進行した場合の様子を示している。本実施形態の車両用灯具システムでは、白線情報に基づいて得られるカーブ半径の値が異常であればそのカーブ半径を用いて光照射方向を可変に設定されることがないので、照射光１０１の照射方向は直線時から変化しない。これに対して、図６（Ｄ）に示す比較例の車両用灯具システムでは、舵角の大小でＡＦＳ制御の実施／不実施を切り分けており、緩和曲線区間でもＡＦＳ制御が行われやすいように舵角の閾値を比較的小さく設定しているので、たとえカーブ半径の値が異常であってもそのカーブ半径の値を用いてＡＦＳ制御が実施されてしまい、照射光１０１ａの照射方向が不適切なものとなってしまう。
【００３７】
図７（Ａ）は、本実施形態の車両用灯具システムにおけるＡＦＳ制御の実施／不実施の判断例を一覧にした図である。また、図７（Ｂ）は、比較例の車両用灯具システムにおけるＡＦＳ制御の実施／不実施の判断例を一覧にした図である。各図中、点線で囲んだ箇所が本実施形態と比較例で判断が相違する箇所である。また、図中の○はＡＦＳ制御「実施」を示し、×は「不実施」を示している。なお、ここでは舵角がプラスの値の場合についてのみ示すが舵角がマイナスの値の場合も同様である。
【００３８】
例えば、本実施形態の車両用灯具システムでは、舵角が２．５度〜４．０度でカーブ半径が６０００ｍの場合および舵角が２．５度でカーブ半径が５０００ｍの場合の範囲ａにおいては、カーブ半径に関する閾値に基づく判断によりＡＦＳ制御が実施されない。これは、舵角に比してカーブ半径が大きすぎるので直線区間（図６（Ａ）、図６（Ｃ）参照）における白線の誤検知と考えられるからである。これに対して、比較例では、例えば舵角が２．０度より大きい場合は白線検知結果を採用することになっているため、範囲ｄで示すように、カーブ半径が異常と考えられる上記範囲でもＡＦＳ制御が実施されてしまう。
【００３９】
また、本実施形態の車両用灯具システムでは、舵角が２．０度でカーブ半径が３０００ｍの場合、舵角が１．５度〜２．０度でカーブ半径が２０００ｍの場合および舵角が０．０度〜２．０度でカーブ半径が１０００ｍの場合の範囲ｂでは、閾値に基づく判断によりＡＦＳ制御が実施される。これに対して、比較例では、範囲ｅで示すように、舵角２．０度以下はカーブ半径によらずＡＦＳ制御が実施されない。
【００４０】
また、本実施形態の車両用灯具システムでは、範囲ｃで示すように、舵角の符号とカーブ半径の符号が一致しない場合にはＡＦＳ制御を実施しない。これに対して、比較例では、範囲ｆで示すように、舵角が２．０度より大きければＡＦＳ制御が実施されてしまう。このため、誤検知された白線の曲率半径に基づく制御が行われる場合が生じる。
【００４１】
以上のような実施形態によれば、ＡＦＳ制御をより適切に実行することができる。特に、舵角が比較的に小さい緩和曲線区間においてＡＦＳ制御をより好適に実行することができる。
【００４２】
なお、本発明は上記した実施形態の内容に限定されるものではなく、本発明の要旨の範囲内において種々に変形して実施をすることが可能である。例えば、上記した実施形態は車両の通行帯が左側通行を原則とされている場合を想定していたが、通行帯が右側通行を原則とされている場合についても同様にして配光制御を行うことができる。具体的には、上記した実施形態における左右の関係を入れ替えればよい。
【００４３】
また、上記した実施形態では、複数の発光素子を有する光源部を用いて、発光させる対象とする発光素子を適宜変更することによって光照射方向を可変に設定していたが光照射方向の設定方法はこれに限定されない。例えば、各前照灯の光源部を機械的にスイブルさせることによって光照射方向を可変に設定してもよい。また、レーザ光を走査することによって光照射を行う光源部を用いてもよい。
【００４４】
また、上記した実施形態では、カーブ半径に関する閾値が一定範囲内において舵角に応じて連続的に変化していたが、閾値は段階的であってもよい。また、この閾値の求め方は、上記したデータテーブルを読み出す方法に変えて、予め用意しておいた計算式に基づいて都度計算で求めるようにしてもよい。
【００４５】
また、上記した実施形態ではカーブ半径を推定するための画像認識対象として道路標識又は区画線の一例として自車両の右側に存在する白線（破線）を挙げていたが自車両の左側の白線を用いてもよいし、その他の道路標識または区画線（例えば中央線、車線境界線）を用いてもよい。道路標識等の色彩も白色に限定されない。
【００４６】
また、上記した実施形態では、前照灯を含んだ車両用灯具システムに本発明を適用した場合を例示していたが、他の用途の車両用灯具システムに本発明を適用してもよい。
【符号の説明】
【００４７】
１０：撮像ユニット、１１：舵角センサ、１２：制御部、１３Ｌ、１３Ｒ：ランプユニット、２０：閾値設定部、２１：ＡＦＳ設定部、２２：配光制御部、３０：光源駆動部、３１：ＬＥＤ光源
【図１】
2020192823.tif 000003
【図２】
2020192823.tif 000004
【図３】
2020192823.tif 000005
【図４】
2020192823.tif 000006
【図５】
2020192823.tif 000007
【図６】
2020192823.tif 000008
【図７】
2020192823.tif 000009